(57)【要約】      （修正有）【課題】ペットボトル収納室に格納したペットボトル等に対する冷却・加熱面積を増大させて、冷却・加熱時間を短縮し急速冷却・加熱を可能とする。【解決手段】左右側壁４と背面壁２の３直立面と、前面の開閉蓋３とで、収納されたペットボトルＭを包囲する構成の断面四角の箱型形状で、左右側壁４と背面壁２の３直立面は互いに連結されて一体化されて熱伝導し、開閉蓋３の内面幅方向中央部に押圧体５を装備して、ペットボトル収納室１に格納されたペットボトルＭを開閉蓋３の押圧体５が押すことで、収納されたペットボトルＭを変形させてボトル周面に平面を形成する構成とするとともに、ペットボトル収納室１の３側面のすくなくとも一部を冷却・加熱プレートとし、ペットボトル収納室１に収納したペットボトルＭは、その周面に形成された平面をペットボトル収納室１の３直立面に接当することで、ペットボトルＭを面接触による熱伝導により冷却・加熱する【選択図】図２
2015227752.tif 000002
【特許請求の範囲】
【請求項１】
ペットボトル等を格納したペットボトル収納室と冷却・加熱プレートとを含むペットボトル等の冷却・加熱器において、
前記ペットボトル収納室は、
左右側壁と背面壁の3直立面と、前面の開閉蓋とで、収納されたペットボトルを包囲する構成の断面四角の箱型形状で、左右側壁と背面壁の3直立面は互いに連結されて一体化されて熱伝導し、前記開閉蓋の内面幅方向中央部に押圧体を装備して、ペットボトル収納室に格納されたペットボトルを開閉蓋の押圧体が押すことで、収納されたペットボトルを変形させてボトル周面に平面を形成する構成とするとともに、
前記ペットボトル収納室の3側面のすくなくとも一部を冷却・加熱プレートとし、
ペットボトル収納室に収納したペットボトルは、その周面に形成された平面を、ペットボトル収納室の3直立面に接当することで、ペットボトル収納室の3側面と熱伝導し、
冷却・加熱プレートとペットボトル収納室のペットボトルとを、面接触による熱伝導により冷却・加熱することを特徴とする、ペットボトル等の冷却・加熱器。
【請求項２】
ペットボトル等を格納したペットボトル収納室と冷却・加熱プレートとを含むペットボトル等の冷却・加熱器において、
前記ペットボトル収納室は、
左右側壁と背面壁の3直立面と、前面の開閉蓋とで、収納されたペットボトルを包囲する構成の断面四角の箱型形状で、左右側壁と背面壁の3直立面は互いに連結されて一体化されて熱伝導し、前記開閉蓋の内面幅方向中央部に押圧体を装備して、ペットボトル収納室に格納されたペットボトルを開閉蓋の押圧体が押すことで、収納されたペットボトルを変形させてボトル周面に平面を形成する構成とするとともに、ペットボトル収納室に収納したペットボトルは、その周面に形成された平面を、ペットボトル収納室の3直立面に接当することで、ペットボトル収納室の3側面と熱伝導し
ペットボトル収納室の3側面をアルミ型材で製作した冷却・加熱プレートとし、冷却・加熱プレートの背面に冷媒パイプ溝を形成し、冷媒パイプ溝に係合した冷媒パイプと冷却・加熱プレートとで熱交換器を構成し、
冷却・加熱プレートとペットボトル収納室のペットボトルとを、面接触による熱伝導により冷却・加熱することを特徴とする、ペットボトル等の冷却・加熱器。
【発明の詳細な説明】
【技術分野】
【０００１】
本発明は、飲料用液体を収容したペットボトル等の冷却・加熱装置に関するものである。
【背景技術】
【０００２】
飲料用液体の収納容器として、従来の硬質合成樹脂製ボトルに変えて、断面形状を変更可能とする飲料用液体の収納容器(例えば、ペットボトル)が存在する。
複数本のペットボトル等や、複数種類の食品を格納した冷却・加熱室を有し、冷却・加熱室を冷却・加熱することで、食品等を冷却・加熱する冷蔵・加熱庫は公知である。
【先行技術文献】
【特許文献】
【０００３】
【特許文献１】特開2006-71138
【０００４】
【発明の概要】
【発明が解決しようとする課題】
【０００５】
特許文献1の特開2006-71138「保冷温装置」は、図１０を参照して、貯液容体（ペットボトル）Ｍの収納体20の底部に加熱冷却部21を設けている。加熱冷却部21の加熱冷却により収納体20の底部を介して貯液容体（ペットボトル）Ｍの底部を加熱冷却している。
【０００６】
貯液容体（ペットボトル）Ｍの底部のみを、加熱冷却するものである。したがって、貯液容体（ペットボトル）Ｍの加熱冷却に長時間を要する問題点がある。
【０００７】
本発明は、ペットボトル収納室に格納したペットボトル等に対する冷却・加熱面積を増大させて、冷却・加熱時間を短縮し急速冷却・加熱を可能とすることを課題とする。
【課題を解決するための手段】
【０００８】
本発明は、ペットボトル収納室を、
左右側壁と背面壁の3直立面と、前面の開閉蓋とで、収納されたペットボトルを包囲する構成の断面四角の箱型形状で、左右側壁と背面壁の3直立面は互いに連結されて一体化されて熱伝導し、前記開閉蓋の内面幅方向中央部に押圧体を装備して、ペットボトル収納室に格納されたペットボトルを開閉蓋の押圧体が押すことで、収納されたペットボトルを変形させてボトル周面に平面を形成する構成とするとともに、
前記ペットボトル収納室の3側面のすくなくとも一部を冷却・加熱プレートとし、ペットボトル収納室に収納したペットボトルは、その周面に形成された平面を、ペットボトル収納室の3直立面に接当することで、ペットボトル収納室の3側面と熱伝導し、  冷却・加熱プレートとペットボトル収納室のペットボトルとを、面接触による熱伝導により冷却・加熱することを特徴とする。
【０００９】
請求項2の発明は、請求項1の発明において、ペットボトル収納室の3側面をアルミ型材で製作した冷却・加熱プレートとし、冷却・加熱プレートの背面に冷媒パイプ溝を形成し、冷媒パイプ溝に係合した冷媒パイプと冷却・加熱プレートとで熱交換器を構成したことを特徴とする。
【発明の効果】
【００１０】
本発明は、ペットボトル収納室に格納されたペットボトルを開閉蓋の押圧体が押すことで、ペットボトルを変形させて周面に平面を形成するとともに、変形したペットボトルの周面の平面をペットボトル収納室は3側面に接当させて熱伝導させる。  よって、ペットボトル収納室の3側面の一部を冷却・加熱プレートとし、且つ、冷却・加熱プレートとペットボトル収納室のペットボトルとを、面接触による熱伝導させる結果、ペットボトル収納室のペットボトルを急速に冷却・加熱することができ、ペットボトル等の冷却・加熱時間を短縮できる効果を有する。
【図面の簡単な説明】
【００１１】
【図１】ペットボトル収納室（冷蔵・加熱室）に格納されるペットボトルの一例を示し、ａ図は正面図、ｂはＳ1-Ｓ1線による断面図。
【図２】1個のペットボトルを格納する本願発明の実施例を示す、ペットボトル等の冷却・加熱器の要部の縦断面図。
【図３】図2のＳ2-Ｓ2線による横断面図。
【図４】開閉蓋を開いた状態における、図3同様の横断面図。
【図５】2個のペットボトルを格納する本願発明の第2実施例を示す  図2同様のペットボトル等の冷却・加熱器の要部の縦断面図。
【図６】図5のＳ3-Ｓ3線による横断面図。
【図７】熱交換ユニットの斜視図。
【図８】同じく正面図。
【図９】冷却・加熱器の全体構成を示す縦断面図。
【図１０】公知の保冷温装置の縦断面図。
【発明を実施するための最良の形態】
【００１２】
図1ないし図4を参照して、ペットボトル収納室（冷蔵・加熱室）に単一のペットボトル等を格納する態様の実施例について説明する。
【００１３】
図1は、ペットボトル収納室1に収納して冷却・加熱するペットボトルＭの一例を示し、中央部の横断面形状を円形、コーナー部を切欠した4角形とする。
【００１４】
前記ペットボトル収納室1は、図2を参照して、左右側壁4、4と背面壁2の3直立面と、前面の開閉蓋3とで、収納されたペットボトルＭを包囲する構成の断面四角の箱型形状とし、底面ケース7が形成されている。
【００１５】
開閉蓋3と一体の天面カバー6を設けるとともに、開閉蓋3の内面側に押圧体5を一体形成する。
【００１６】
背面壁2（または、背面壁2と左右側壁4、4との3側面壁）を、アルミ型材で製作した冷却・加熱プレートとし、冷却・加熱プレートの背面に冷媒パイプ溝8を形成し、冷媒パイプ溝8に係合した冷媒パイプ9と冷却・加熱プレートとで熱交換ユニット10を構成する。
【００１７】
図4は、ペットボトル収納室1に収納した状態のペットボトルＭを、開閉蓋3を開いた状態で示し、周面を曲面としている。
【００１８】
図3は、ペットボトル収納室1に収納し、開閉蓋3を閉じた状態のペットボトルＭを示し、ペットボトル収納室1内のペットボトルＭを開閉蓋3の押圧体5が押すことで、収納されたペットボトルを変形させてボトル周面に平面ｍを形成している。
【００１９】
冷却・加熱プレートとして機能する、左右側壁と背面壁の3直立面と、ペットボトル収納室のペットボトルとを、面接触による熱伝導により急速に冷却・加熱する。
【００２０】
以下、図5ないし図9に示す本願発明の第2実施例にもとづいて、本願発明を詳細に説明する。
【００２１】
ペットボトル収納室（冷蔵・加熱室内）に、4側面に平面mを有する立法体形状とする、複数本の飲料容器（2本の飲料水ぺットボトル）Mを収納自在とする。
【００２２】
ペットボトル収納室（冷蔵・加熱室内）1は箱型（立法体形状）とし、背面壁（冷却・加熱プレート）2と、天面カバー6と一体の開閉蓋3と、左右の側壁4と、内部空間を複数個に区分する隔壁１５と、底面ケース7とにより構成し、内部空間を複数個（２個）に分割して、複数個（２個）の収納空間H、Hを形成している。
【００２３】
なお、実施例においては、左右の側壁4、4も背面壁（冷却・加熱プレート）2と一体化した形状に単一のアルミ型材により形成している。
【００２４】
図9を参照して、熱交換ユニット10は、放熱器11、凝縮器12、圧縮機13とにより冷却・加熱ユニットを構成する。
【００２５】
冷却サイクルでは、熱交換ユニットの背面壁（冷却・加熱プレート）2は、冷媒パイプ9を通過する冷媒ガスにより冷却されて、本発明の装置は、冷却装置として機能する。
【００２６】
加熱サイクルでは、熱交換ユニットの背面壁（冷却・加熱プレート）2は、冷媒パイプ9を通過する冷媒ガスにより加熱されて、本発明の装置は、加熱装置として機能する。
【００２７】
よって、本発明の装置は、冷却・加熱装置として機能するものであるが、冷却装置のみの機能として、小形冷却装置としてもよいことは勿論である。
【００２８】
開閉ドア3について、断熱材１４を内装して、収納空間H、Hに、飲料容器Mを装填した状態では、断熱材１４が飲料容器Mを押圧することで、飲料容器Mの平面mを背面壁（冷却・加熱プレート）2、側壁4,4および隔壁１５、に密接している。
【００２９】
冷媒パイプを介して供給された冷媒による熱交換ユニットの冷却・加熱を、背面壁（冷却・加熱プレート）ト2に加えて、隔壁１5、左右の側壁4、4を加えて、複数個の飲料容器M、Mに熱伝導することにより、複数個の飲料容器M、Mを急速に冷却・加熱する。
【産業上の利用可能性】
【００３０】
本願発明は、ペットボトル等の飲料用液体の急速冷却・加熱を可能とすることで、ペットボトル等の飲料用液体の販売を促進して、産業の発展に寄与するものである。
【符号の説明】
【００３１】
Ｍ    ペットボトル
ｍ    平面
Ｈ    収納空間
１    ペットボトル収納室
２    背面壁（冷却・加熱プレート）
３    前面の開閉蓋
４    左右側壁
５    押圧体
【図１】
2015227752.tif 000003
【図２】
2015227752.tif 000004
【図３】
2015227752.tif 000005
【図４】
2015227752.tif 000006
【図５】
2015227752.tif 000007
【図６】
2015227752.tif 000008
【図７】
2015227752.tif 000009
【図８】
2015227752.tif 000010
【図９】
2015227752.tif 000011
【図１０】
2015227752.tif 000012
【手続補正書】
【提出日】平成26年6月26日(2014.6.26)
【手続補正１】
【補正対象書類名】明細書
【補正対象項目名】００１３
【補正方法】変更
【補正の内容】
【００１３】
図1は、ペットポトル収納室1に収納して冷却・加熱するペットポトルＭの一例を示し、中央部の横断面形状は円形である。
なお、中央部の横断面形状を、コーナー部分を切除した4角形とするところの、角型ペットポトルを適用できることは、勿論である。